(57)【要約】  【課題】本発明は、水耕栽培用、及び通常の土壌栽培において水やり用の水として用いて植物の育成を助長することのできる植物栽培用活性水の製造に用いる、水処理剤を提供することを目的とする。【課題を解決するための手段】土壌物と、モルタルと、シラスとが１：０．７〜１．５：０．３〜２の重量比で混合された混合物が固化されてなる粒状物であり、前記土壌物が、１７０〜３５０℃に加熱処理された黒音地土７０重量部と、赤土５〜２０重量部と、腐葉土、籾殻、から選択される植物性資源５〜２０重量部と、粘土５〜２０重量部とを含んでなる、植物栽培用活性水製造用水処理剤である。【選択図】  なし【特許請求の範囲】
【請求項１】
土壌物と、モルタルと、シラスとが１：０．７〜１．５：０．３〜２の重量比で混合された混合物が固化されてなる粒状物であり、
前記土壌物が
１７０〜３５０℃に加熱処理された黒音地土    ７０重量部と、
赤土        ５〜２０重量部と、
粘土        ５〜２０重量部と
腐葉土、籾殻、から選択される植物性資源      ５〜２０重量部と、
を含んでなる、
植物栽培用活性水製造用水処理剤。
【発明の詳細な説明】
【技術分野】
【０００１】
本発明は、植物栽培における水やり用の水として用いられる植物栽培用活性水を得るための水処理剤に関する。
【背景技術】
【０００２】
植物の根から吸収される水は植物の育成にとって重要であり、例えば、水上栽培において、根による水中の栄養素の吸収を補助する目的でゼオライトやイオン交換樹脂を水中の根の近傍に配置することが開示されている（例えば、特許文献１参照）。
【０００３】
しかし、通常の土壌栽培において水やり用の水として用いても、植物の育成を助長することのできる植物栽培用活性水については満足すべきものがなかった。
【先行技術文献】
【特許文献】
【０００４】
［特許文献１］特開平９−５６２７８号公報
【発明の概要】
【発明が解決しようとする課題】
【０００５】
本発明は、水耕栽培用、及び通常の土壌栽培において水やり用の水として用いて植物の育成を助長することのできる植物栽培用活性水の製造に用いる、水処理剤を提供することを目的とする。
【課題を解決するための手段】
【０００６】
本発明の要旨とするところは、
土壌物と、モルタルと、シラスとが１：０．７〜１．５：０．３〜２の重量比で混合された混合物が固化されてなる粒状物であり、
前記土壌物が
１７０〜３５０℃に加熱処理された黒音地土    ７０重量部と、
赤土        ５〜２０重量部と、
粘土        ５〜２０重量部と、
腐葉土、籾殻、から選択される植物性資源    ５〜２０重量部
とを含んでなる、
植物栽培用活性水製造用水処理剤であることにある。
【発明の効果】
【０００７】
本発明によると、水耕栽培用、及び通常の土壌栽培において水やり用の水として用いても植物の育成を助長することのできる植物栽培用活性水の製造に用いる、水処理剤が提供される。
【発明を実施するための形態】
【０００８】
本発明の植物栽培用活性水製造用水処理剤（以下本発明の処理剤とも称する）は、水耕栽培用、及び通常の土壌栽培において水やり用の水として用いて植物の育成を助長することのできる植物栽培用活性水の製造に用いるものである。
【０００９】
この植物栽培用活性水は、通常の水を本発明の処理剤に接触させることにより得ることができる。この処理剤と水との接触は、例えば、容器内に留置された水に処理剤を浸漬することにより、あるいは、この処理剤を接触材として充填したカラムに水を通過させることにより行うことができる。
【００１０】
本発明の処理剤は土壌物と、モルタルと、シラスとが１：０．７〜１．５：０．３〜２の重量比で混合された混合物が固化されてなる粒状物である。
この土壌物は、
加熱処理された黒音地土    ７０重量部と、
赤土        ５〜２０重量部と、
粘土        ５〜２０重量部と、
腐葉土、籾殻、から選択される植物性資源      ５〜２０重量部と
を含んでなるものである。加熱処理は黒音地土を１７０〜３５０℃に加熱することにより行われることが好ましい。
【００１１】
黒音地土の加熱処理は殺菌消毒のために行うものであり、目的や用途に応じて加熱処理に代えて塩素処理や酸処理を行ってもよい。
【００１２】
黒音地土は黒ボクとも呼称され腐蝕酸に富む黒い表層土を持つ土壌である。
赤土は鉄分を多く含む赤色の土壌を意味する。
腐葉土は落葉が堆積し腐敗して得られる土をいう。
粘土としては、モンモリロナイト系粘土、ベントナイト系粘土、木節粘土、蛙目粘土が挙げられる。なかでもモンモリロナイトが好ましい。
【００１３】
土壌物には粒子状補填物が添加されていてもよい。粒子状補填物としては、カーボン、タルク、セラミック粉、砂などが挙げられる。不可避の不純物が含まれることもある。
【００１４】
本発明の処理剤は上記の土壌物と、モルタルと、シラスと、場合により残余の粒子状補填物とを混練りして粒状に成形して粒状成形体となし、この粒状成形体を静置することにより固化させて得ることができる。
【００１５】
黒音地土が加熱処理されていることにより、処理剤が水に浸漬されたときに、黒音地土が水中に流出する度合いを少なくすることができる。また、過度の加熱は黒音地土に含まれるアロフェンの吸着能を低下させるので好ましくない。
【００１６】
黒音地土は、植物が養分を吸収するうえで阻害要因となるカルシウムイオンや、アンモニウムイオンを中和あるいは吸着により除去する機能をはたしていると推定される。
【００１７】
本発明の処理剤は上述の比率でシラスを含むことによりかさ高になり、処理剤が水に浸漬されたときに、処理剤中の黒音地土と水との接触の機会が多くなり好ましい。過度にシラスが含有されていると処理剤中の黒音地土の比率が過小になる。
さらに、シラスは、植物が養分を吸収するうえで阻害要因となるカリウムイオンを中和あるいは吸着により除去する機能をはたしていると推定される。
【００１８】
本発明の処理剤は上述の比率で赤土を含むことにより、処理剤が水に浸漬されたときに、適度の鉄分が水中に溶出し、植物の育成に寄与することとなるので好ましい。過度に赤土が含有されていると処理剤中の黒音地土の比率が過小になる。また、鉄分の溶出が過大になる。赤土は殺菌のため加熱処理されたものであることが好ましい。
【００１９】
本発明の処理剤に粘土が上述の比率で含有されていることにより、植物栽培用活性水のｐＨが調整されると思われる。また、水中の汚染物質の浄化に寄与すると思われる。さらに、粘土は、植物が養分を吸収するうえで阻害要因となるカルシウムイオンや、アンモニウムイオンを中和あるいは吸着により除去する機能をはたしていると推定される。
【００２０】
本発明の処理剤はこれら諸成分の総合的な働きにより優れた植物育成助長効果を発揮する。本発明の処理剤により、植物を育成する土壌中あるいは水中において、植物が養分を吸収するうえで阻害要因となる過剰のカルシウムイオン、過剰のアンモニウムイオン、過剰のカリウムイオンがともに中和あるいは吸着により除去されることが、この植物育成助長効果を発揮する主要な理由であると推定される。
【００２１】
本発明に用いられる植物性資源や粘土も、加熱処理されていてもよい。
【００２２】
本発明の処理剤を構成する粒状物の径（長径と短径の平均）は１〜３０ｍｍであることが取り扱いの容易さと水との接触を効率的に行なわせるうえで好ましい。１０〜２０ｍｍであることがさらに好ましい。粒状物の形状は特に限定されず、球形、立方形、筒形、柱形、星形、馬蹄形などが例示される。
【００２３】
容器内に留置された水に処理剤を浸漬することにより植物栽培用活性水を得る場合、４０リットルの水に対して１．５〜３ｋｇの割合で処理剤を用いることが好ましい。浸漬時間は１分以上であることが好ましい。
【００２４】
本発明の処理剤を接触材として充填したカラムに水を通過させることにより植物栽培用活性水を得る場合、水が接触材を通過する時間は１分以上であることが好ましい。
【００２５】
本発明の処理剤により水を処理して得られた植物栽培用活性水を土壌栽培における植物の水やりに用いると、通常の水を用いた場合に比べて植物の成長が促進され、収穫される果実の量や糖度を増すことができる。
【００２６】
本発明の処理剤により処理された水は水耕栽培における栽培用水としても用いることができ、通常の水を用いた場合に比べて植物の成長が促進され、収穫される果実の量や糖度を増すことができる。
【００２７】
本発明の処理剤においては、土壌物と、モルタルと、シラスとが１：（０．８〜１．２）：（０．７〜１．５）の重量比で混合された混合物が固化されてなる粒状物であることが植物の成長の促進のうえでさらに好ましい。
【００２８】
本発明の処理剤により水を処理して得られた植物栽培用活性水を土壌栽培における植物の水やりに用いる場合は、土壌物が、
加熱処理された黒音地土    ７０重量部と、
赤土        ７〜１５重量部と、
籾殻      ７〜１５重量部と、
粘土        ７〜１５重量部と
を含んでなるものであることが植物の成長の促進のうえでさらに好ましい。
【００２９】
本発明の処理剤により水を処理して得られた植物栽培用活性水を水耕栽培における栽培用水として用いる場合は、土壌物が、
加熱処理された黒音地土    ７０重量部と、
赤土        ７〜１５重量部と、
腐葉土      ７〜１５重量部と、
粘土        ７〜１５重量部と
を含んでなるものであることが植物の成長の促進のうえでさらに好ましい。
【００３０】
[実施例]
表１に示す各種配合により土壌物を配合した。粘土としてはモンモリロナイトを用いた。
表１において黒音地土Ａは黒音地土を２５０℃で１時間加熱処理したものであり、黒音地土Ｂは加熱処理をしないものである。
【００３１】
表２に示す各種配合により土壌物と、モルタルと、粒径０．１ｍｍほどに微粉砕されたシラスとを混練し、ペレタイザでペレット化し、静置することにより固化させて短径５ｍｍ、長径１０ｍｍの粒状成形体（処理剤）を得た。
モルタルとしては，セメント１重量部、砂３重量部、水０．５重量部が配合されたものを用いた。
【００３２】
４０リットルの水道水に２ｋｇの処理剤を１時間以上浸漬することにより植物栽培用活性水を得て、水やり用の水に用いた。
【００３３】
その１
鉢植えの開花前のベゴニア株を準備し、水やり用の水として処理剤で処理した水を用いた。水やりの水の種類に対応した数の鉢に植えられた鉢植えの株を準備し、各鉢ごとに異なる水で７、８月の２カ月間毎朝柄杓一杯分の水やりを行い株の育成状態を観察した。
【００３４】
表３に各鉢ごとの株の育成状態を示す。表３中、◎は葉、花弁が大きく全体にボリュームが大きい状態に育成されたこと、○は花弁が◎ほどではないが大きく全体のボリュームが大きい状態に育成されたこと、△は、○のケースに比べて葉、花弁が小さく、全体のボリュームが○のケースに比べて見劣りする、ことを示す。
【００３５】
その２
鉢植えのプチトマト株を準備し、水耕栽培用の水として、籾殻に代えて腐葉土を用いたほかは実施例１の配合で得られた処理剤で処理した水を用いた。水耕栽培用の水の種類に対応した数の水耕栽培用ケースを準備し、ハウス内で各ケースに植えられた株ごとに異なる水で７〜１１月の５カ月間毎朝柄杓一杯分の水の交換補充を行い、果実を収穫した。
【００３６】
表４に各ケースごとのプチトマトの収穫日、収穫量（個数）、収穫したプチトマトの糖度、収穫終了時の根の重さを示す。
【００３７】
【表１】
2013141457.tif 000002
【００３８】
【表２】
2013141457.tif 000003
【００３９】
比較例５
処理剤としてテラ石を用いたほかは実施例（その１）と同様にしてベゴニアを、実施例（その２）と同様にしてトマトを育成した。
【００４０】
テラ石は、特許公報  第３７６６３８５号  に記載の方法によって製造される人工鉱石であり、粉末状のトルマリン、アルミニウム、カルシウムを合わせて加熱溶融・冷却を繰り返して製造されたものである。
【００４１】
比較例６
水やり用の水あるいは水耕栽培用の水として水道水を用いたほかは実施例（その１）と同様にしてベゴニアを、実施例（その２）と同様にしてトマトを育成した。
【００４２】
【表３】
2013141457.tif 000004
【００４３】
【表４】
2013141457.tif 000005
【００４４】
表３より、本発明の処理剤で処理した水を水やりに用いると、比較例に比べてベゴニアの生育状態が良好であるとの結果であった。
【００４５】
表４より、本発明の処理剤で処理した水を水耕栽培用の水に用いると、比較例に比べてプチトマトの収穫量が多く、糖度が大きいとの結果であった。また、根の育成状態も、実施例が比較例に比べて良好であった。
【産業上の利用可能性】
【００４６】
本発明の植物栽培用活性水製造用水処理剤は、植物の育成用のみならず、汚水に接触させることにより汚水の浄化にも好適に適用できる。また、本発明の植物栽培用活性水製造用水処理剤を消臭材料として容器に収納したものが、消臭剤として好適に使用される。さらには、不織布や樹脂シートに担持させて消臭目的に好適に使用される。